(57)【要約】      （修正有）【課題】自立の安定性を容易に高めることが可能であり、商品をより強固に保持可能であり、しかも載置面に対して商品を確実に保護可能なブリスターパッケージを提供する。【解決手段】ブリスターパッケージ１は、商品としての充電器１００を受容可能な凹形状の容器部８と、容器部８の開口外周縁を全周に渡り囲むフランジ部９と、フランジ部９に接合して容器部８を塞ぐ蓋部と、フランジ部９から離れるにしたがい容器部８から遠ざかる傾斜面１１、およびフランジ部９の縁または蓋部の縁とともに載置面に接地可能な自由端部１２ａ、１３ａを有して、載置面にフランジ部９を立てた起立状態で充電器１００の重量を含む自重を分担可能な一対の脚部１２、１３と、一対の脚部１２、１３間に架かり起立状態にあるとき充電器１００を支える支持部１５と、を備える。【選択図】図１
2013086807.tif 000002
【特許請求の範囲】
【請求項１】
商品を受容可能な凹形状の容器部と、
前記容器部の開口外周縁を全周に渡り囲むフランジ部と、
前記フランジ部に接合して前記容器部を塞ぐ蓋部と、
前記フランジ部から離れるにしたがい前記容器部から遠ざかる傾斜面、および前記フランジ部の縁または前記蓋部の縁とともに載置面に接地可能な自由端部を有して、前記載置面に前記フランジ部を立てた起立状態で前記商品の重量を含む自重を分担可能な一対の脚部と、
前記一対の脚部間に架かり前記起立状態にあるとき前記商品を支える支持部と、を備えることを特徴とするブリスターパッケージ。
【請求項２】
前記容器部は、前記脚部に対向しかつ前記傾斜面と略同じく傾斜する壁部分を有し、
前記支持部は、前記フランジ部から離れるにしたがい前記傾斜面から遠ざかることを特徴とする請求項１に記載のブリスターパッケージ。
【発明の詳細な説明】
【技術分野】
【０００１】
本発明に係る実施形態はブリスターパッケージに関する。
【背景技術】
【０００２】
電池や充電器などの商品を受容可能な容器部を有する第一板状部材と、第一板状部材に接合して容器部を閉鎖する第二板状部材と、を備えるブリスターパッケージが知られている。
このブリスターパッケージは、フックなどに吊り下げて陳列するだけでなく、陳列棚等に並べて陳列する場合がある。陳列棚等に並べて陳列する場合、ブリスターパッケージを起立させ、ブリスターパッケージのフェイス面を陳列棚の正面に向けて陳列することが重要である。
【０００３】
そこで、容器部に連接する脚部を備えるブリスターパッケージが知られている。この脚部は、ブリスターパッケージを起立状態に保つ。脚部は中空であり、起立状態において載置面に接する底板として、第二板状部材の縁に略直交する方向へ延びる平板状部分を第一板状部材側に備える。
また、容器部を脚として兼用するブリスターパッケージが知られている。この脚を兼ねる容器部は、第二板状部材の縁と協働してブリスターパッケージを起立状態に保つ。
【先行技術文献】
【特許文献】
【０００４】
【特許文献１】特開２００６−１３７４３０号公報
【特許文献２】特開２００１−１２２３２９号公報
【特許文献３】特開２０００−１９１０３７号公報
【特許文献４】実開平２−８３２７１号公報
【発明の概要】
【発明が解決しようとする課題】
【０００５】
脚部を備える従来のブリスターパッケージは、中空な脚部を第二板状部材で閉鎖する一方で、脚部と第二板状部材との接合しろを確保することが困難であり、当該部分の接合強度を期待できず、商品の保持およびブリスターパッケージそのものの保形に係る強度が低下してしまう。
【０００６】
他方、容器部を脚として兼用する従来の兼用するブリスターパッケージは、容器部を載置面へ直接的に接して起立状態を保つため、商品と載置面との離間距離を確保し難く、載置面の状況によっては商品そのものを傷付けてしまう虞がある。また、この種のブリスターパッケージは、商品の大きさ次第によって容器部の大きさを変えてしまう。例えば、第二板状部材の法線方向における商品の厚みが減少するほど、脚として働く距離が短くなり、この種のブリスターパッケージは転倒し易くなる。
【０００７】
そこで、本発明は、自立の安定性を容易に高めることが可能であり、商品をより強固に保持可能であり、しかも載置面に対して商品を確実に保護可能なブリスターパックを提供することを目的とする。
【課題を解決するための手段】
【０００８】
前記の課題を解決するため本発明の実施形態に係るブリスターパッケージは、商品を受容可能な凹形状の容器部と、前記容器部の開口外周縁を全周に渡り囲むフランジ部と、前記フランジ部に接合して前記容器部を塞ぐ蓋部と、前記フランジ部から離れるにしたがい前記容器部から遠ざかる傾斜面、および前記フランジ部の縁または前記蓋部の縁とともに載置面に接地可能な自由端部を有して、前記載置面に前記フランジ部を立てた起立状態で前記商品の重量を含む自重を分担可能な一対の脚部と、前記一対の脚部間に架かり前記起立状態にあるとき前記商品を支える支持部と、を備えることを特徴とする。
【図面の簡単な説明】
【０００９】
【図１】本発明の実施形態に係るブリスターパッケージを示す斜視図。
【図２】本発明の実施形態に係るブリスターパッケージを示す正面図。
【図３】本発明の実施形態に係るブリスターパッケージを示す平面図。
【図４】本発明の実施形態に係るブリスターパッケージを示す右側面図。
【図５】本発明の実施形態に係るブリスターパッケージを示す縦断面図。
【図６】本発明の実施形態に係るブリスターパッケージを示す底面図。
【図７】本発明の実施形態に係るブリスターパッケージの第一板状部材の成形方法を示す概略図。
【図８】本発明の実施形態に係るブリスターパッケージの第一板状部材の成形方法を示す概略図。
【図９】本発明の実施形態に係るブリスターパッケージの第一板状部材の成形方法を示す概略図。
【図１０】本発明の実施形態に係るブリスターパッケージの第一板状部材の成形方法を示す概略図。
【発明を実施するための形態】
【００１０】
以下、本発明に係るブリスターパッケージの実施の形態について、図１から図１０を参照して説明する。
【００１１】
図１は、本発明の実施形態に係るブリスターパッケージを示す斜視図である。
図２は、本発明の実施形態に係るブリスターパッケージを示す正面図である。
図３は、本発明の実施形態に係るブリスターパッケージを示す平面図である。
図４は、本発明の実施形態に係るブリスターパッケージを示す右側面図である。
図５は、図２のＶ−Ｖ線において、本発明の実施形態に係るブリスターパッケージを示す縦断面図である。
図６は、本発明の実施形態に係るブリスターパッケージを示す底面図である。
なお、図２から図５は、載置面Ｇに起立するブリスターパッケージ１を示す図である。また、
【００１２】
図１から図６に示すように、本実施形態に係るブリスターパッケージ１は、商品としての充電器１００を包装する。ブリスターパッケージ１は、充電器１００を受容可能な窪みを有する第一板状部材５と、窪みを塞いで充電器１００を保持する第二板状部材６と、を備える。なお、ブリスターパッケージ１の正面はフェイス面である。
【００１３】
第一板状部材５および第二板状部材６のそれぞれは、ポリエチレンテレフタレートシート（ＰＥＴ）や、ポリ塩化ビニル（ＰＶＣ）、ポリプロピレン（ＰＰ）、ポリスチレン（ＰＳ）等の種々の合成樹脂の成形品であり、約０．２ｍｍ〜約１．０ｍｍの厚さの合成樹脂シートの成形品である。なお、第二板状部材６は紙製シートでも良い。
【００１４】
第一板状部材５は、充電器１００を受容可能な凹形状の容器部８と、容器部８の開口外周縁を全周に渡り囲むフランジ部９と、フランジ部９から離れるにしたがい容器部８から遠ざかる傾斜面１１、およびフランジ部９の縁または第二板状部材６の縁とともに載置面Ｇに接地可能な自由端部１２ａ、１３ａを有して、載置面Ｇにフランジ部９を立てた起立状態で充電器１００の重量を含む自重を分担可能な一対の脚部１２、１３と、一対の脚部１２、１３間に架かり起立状態にあるとき充電器１００を支える支持部１５と、を備える。
【００１５】
容器部８は、ブリスターパッケージ１の前方へ突き出し、充電器１００を収容する。容器部８は、充電器１００の形状に応じ、外面に沿うようなドーム状の形状を有する。なお、容器部８は商品の形状に応じて直方体形状であっても良いし、その他任意の形状でも良い。
また、容器部８は、脚部１２、１３に対向しかつ傾斜面１１と略同じく傾斜する壁部分１６を有する。
【００１６】
フランジ部９は、容器部８の縁から張り出し、窪みの外側へ向かって上下左右に向かって平面状に延びる。フランジ部９の下端縁は、脚部１２、１３とともに載置面Ｇに接地して、起立状態にあるブリスターパッケージ１の自重と充電器１００の重量を分担する。
【００１７】
また、フランジ部９は、第二板状部材６を第一板状部材５に接合するためにあり、接着剤を塗布して接着したり、フランジ部９と第二板状部材６とを溶着したり、フランジ部９と第二板状部材６とのいずれか一方に爪を形成し、他方に爪を掛けるスリットなどの穴を形成し、爪を穴に差し込んだり、フランジ部９と第二板状部材６とのいずれか一方にレール状の折返し部を形成し、他方を折返し部に差し込んだりする種々な接合方法を適用できる。
【００１８】
脚部１２、１３は、丸みのある容器部８の底部から下方へ向かって膨出し、側面視においてくちばしのように先鋭して載置面Ｇに接する。また、脚部１２、１３は、前面視において容器部８よりも幅が狭く、容器部８の下端部右側と下端部左側とに分かれて位置する。脚部１２、１３の自由端部１２ａ、１３ａは、脚部１２、１３の前端部である。
【００１９】
なお、脚部１２、１３は、充電器１００の重心位置に対応して脚部１２、１３間の離間幅と、フランジ部９からの突出長さＬとを適宜に調整することで、容器部８の形状に係わらずブリスターパッケージ１をより安定に自立することが可能である。特に、脚部１２、１３の突出長さＬを充電器１００の前後方向における厚さＴよりも大きくすれば、前後方向における極めて高い自立安定性を得る。また、脚部１２、１３を容器部８の左右それぞれの壁面の延長位置に配置することで、左右方向における極めて高い自立安定性を得る。
【００２０】
傾斜面１１は、脚部１２、１３の底板であり、フランジ部９側にある根元１２ｂ、１３ｂから前斜め下方へ傾斜して自由端部１２ａ、１３ａに至る。傾斜面１１の根元１２ｂ、１３ｂを充電器１００に近づけ、すなわちフランジ部９の縁（下端縁）よりも上方に配置することによって、フランジ部９は、容器部８の開口外周縁を全周に渡り囲むことが可能になる。
なお、傾斜面１１と容器部８の壁部分１６とは、平面状のフランジ部９に対して同じ方向へ傾斜して略同じ角度をなし、略平行に位置する。
【００２１】
支持部１５は、容器部８に連接して左右の脚部１２、１３に架かり、容器部８と協働して充電器１００を支える。このため、支持部１５は、フランジ部９から離れるにしたがい傾斜面１１から遠ざかって充電器１００に沿う形状を有し、充電器１００から加わる荷重を脚部１２、１３へ伝える。
【００２２】
他方、第二板状部材６は、フランジ部９に接合して容器部８を塞ぐ蓋部である。第二板状部材６は、容器部８を閉塞した状態で、容器部８が受容した充電器１００を容器部の正面壁１７に沿わせて移動を規制する。
【００２３】
また、第二板状部材６の下端縁は、フランジ部９の下端縁および脚部１２、１３とともに載置面Ｇに接地して、起立状態にあるブリスターパッケージ１の自重と充電器１００の重量を分担する。第二板状部材６の下端縁およびフランジ部９の下端縁は、いずれか一方が載置面Ｇに接地すれば良い。
【００２４】
さらに、第二板状部材６は、ブリスターパッケージ１を吊り下げて陳列する際に使用する、フックを引っ掛け可能な吊下孔１８を有する。吊下孔１８は、第二板状部材６の上部に位置する。
さらにまた、第二板状部材６は、商品をＰＲする印刷を施しても良い。
【００２５】
次に、第一板状部材５の成型方法について説明する。
図７から図１０は、本発明の実施形態に係るブリスターパッケージの第一板状部材の成形方法を示す概略図である。
【００２６】
図７から図１０に示すように、本実施形態に係るブリスターパッケージ１の第一板状部材５は、軟化したシート材１９を金型３１に押し当てて硬化させることで一体成形される。
【００２７】
シート材１９は、ポリエチレンテレフタレートシート（ＰＥＴ）や、ポリ塩化ビニル（ＰＶＣ）、ポリプロピレン（ＰＰ）、ポリスチレン（ＰＳ）等の種々の合成樹脂の成形品であり、約０．２ｍｍ〜約１．０ｍｍの厚さの合成樹脂シートである。
【００２８】
金型３１は、容器部８、脚部１２、１３および支持部１５を成形する凸形状部３２と、フランジ部９を形成する壁面３３と、を備える。
また金型３１は、凸形状部３２と壁面３３との間にあり、シート材１９と金型３１との間から空気を抜く排気孔３５を有する。
【００２９】
凸形状部３２は、互いに平行な脚部１２、１３の傾斜面１１および容器部８の壁部分１６を成形する壁面３６、３７を略垂直に立てる。
壁面３３は、水平面に対して傾く。
【００３０】
そして、先ず、シート材１９をヒータなどの加熱装置（図示省略）により加熱して軟化する（図７）。次いで軟化したシート材１９を金型に押し当て、シート材１９と金型３１との間から空気を抜くために型枠３８を金型３１の壁面３３に押し付ける（図８）。次いで、排気孔３５を通じてシート材１９と金型３１との間に満ちる空気を抜き、真空成型する（図９）。シート材１９が硬化した後、金型３１から抜き取り、プレス機等で切断してフランジ部９を整え、第一板状部材５を得る（図１０）。
【００３１】
第一板状部材５は、脚部１２、１３の傾斜面１１と容器部８の壁部分１６とを同じ方向へ略同じ傾斜角度で傾けているため、成形時に金型３１から取り外し易い。また、第一板状部材５の支持部１５は、フランジ部９から離れるにしたがい傾斜面１１から遠ざかるため、成形時に離型を阻害しない。
【００３２】
本実施形態に係るブリスターパッケージ１を用いて充電器１００を包装する場合、先ず、第一板状部材５の容器部８の窪みに充電器１００を配置し、フランジ部９の裏面に接着剤を塗布しまたは塗布せずに、蓋部である第二板状部材６をフランジ部９の裏面に重ね合わせ、接着、溶着または機械的な結合方法で第一板状部材５と第二板状部材６とを接合、固着し、充電器１００を包装したブリスターパッケージ１を完成する。
本実施形態に係るブリスターパッケージ１は、容器部８の全周縁に渡ってフランジ部９と第二板状部材６とを固着するため、充電器１００の重量を確実かつ強固に保持できる。
【００３３】
また、本実施形態に係るブリスターパッケージ１は、容器部８の下部にある脚部１２、１３とフランジ部９の下端縁とを協働して自立するため、脚部１２、１３間の離間距離や、脚部１２、１３の突出長さＬを充電器１００の重心位置に応じて適宜に設定することにより自立安定性を容易に高めることができる。
【００３４】
さらに、本実施形態に係るブリスターパッケージ１は、脚部１２、１３間に架かる支持部１５を備えることによって、少なくとも脚部１２、１３の高さまで載置載置面Ｇから充電器１００を離すことが可能であり、載置面Ｇの状況に限らず、充電器１００の損傷をより確実に防止することが可能である。
【００３５】
さらにまた、本実施形態に係るブリスターパッケージ１は、起立状態にあっても、支持部１５を備えることによって、充電器１００の重量を確実に支えることができる。しかも、支持部１５は、第一板状部材５の成形時に脚部１２、１３周囲の離型を阻害することがない。
【００３６】
したがって、本実施形態に係るブリスターパッケージ１によれば、自立の安定性を容易に高めることが可能であり、商品をより強固に保持可能であり、しかも載置面Ｇに対して商品を確実に保護可能である。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１  ブリスターパッケージ
５  第一板状部材
６  第二板状部材
８  容器部
９  フランジ部
１１  傾斜面
１２、１３  脚部
１２ａ、１３ａ  自由端部
１２ｂ、１３ｂ  根元
１５  支持部
１６  壁部分
１７  正面壁
１８  吊下孔
１９  シート材
３１  金型
３２  凸形状部
３３  壁面
３５  排気孔
３６  壁面
３８  型枠
１００  充電器
【図１】
2013086807.tif 000003
【図２】
2013086807.tif 000004
【図３】
2013086807.tif 000005
【図４】
2013086807.tif 000006
【図５】
2013086807.tif 000007
【図６】
2013086807.tif 000008
【図７】
2013086807.tif 000009
【図８】
2013086807.tif 000010
【図９】
2013086807.tif 000011
【図１０】
2013086807.tif 000012